(57)【要約】【課題】認証後のなりすましを防止することを目的としている。【解決手段】特定のエリアへ入る時に利用者に対して行われる顔認証以外の認証後に撮像された、前記利用者のマスタ顔画像と、前記エリア内で定期的に撮像される前記利用者の顔画像と、を、前記利用者の顔画像が撮像される度に照合する顔認証部と、前記利用者が、前記エリア内で提供されるサービスを利用している間、前記マスタ顔画像を、前記サービスを提供する装置の近傍の表示装置に表示させる表示制御部と、を有する。【選択図】図７
2019211863.tif 000002
【特許請求の範囲】
【請求項１】
特定のエリアへ入る時に利用者に対して行われる顔認証以外の認証後に撮像された、前記利用者のマスタ顔画像と、前記エリア内で定期的に撮像される前記利用者の顔画像と、を、前記利用者の顔画像が撮像される度に照合する顔認証部と、
前記利用者が、前記エリア内で提供されるサービスを利用している間、前記マスタ顔画像を、前記サービスを提供する装置の近傍の表示装置に表示させる表示制御部と、を有する情報処理装置。
【請求項２】
前記利用者の顔画像は、
前記利用者による、前記サービスを提供する装置の操作を受け付けて、前記サービスを提供する装置の近傍に設けられた撮像装置により、定期的に撮像される、請求項１記載の情報処理装置。
【請求項３】
前記表示制御部は、
前記顔認証部による照合の結果、前記マスタ顔画像と、前記利用者の顔画像とが一致しない場合に、前記表示装置に、前記マスタ顔画像と対応する利用者とは異なる利用者が前記サービスを提供する装置の近傍に存在することを通知する注意画面を表示させる、請求項１又は２記載の情報処理装置。
【請求項４】
前記表示制御部は、
前記表示装置に前記注意画面を表示させてから、所定時間以上、前記マスタ顔画像と、前記利用者の顔画像とが一致しない場合に、前記注意画面を、前記サービスを提供する装置の使用を禁止することを通知する警告画面に遷移させる、請求項３記載の情報処理装置。
【請求項５】
前記表示装置に前記注意画面を表示させてから、所定時間以上、前記マスタ顔画像と、前記利用者の顔画像とが一致しない場合に、前記サービスを提供する装置の操作画面に対する入力の受け付けを禁止させるロック指示部を有する、請求項３又は４記載の情報処理装置。
【請求項６】
特定のエリアへ入る時に利用者に対して行われる顔認証以外の認証後に撮像された、前記利用者のマスタ顔画像と、前記エリア内で定期的に撮像される前記利用者の顔画像と、を、前記利用者の顔画像が撮像される度に照合する処理と、
前記利用者が、前記エリア内で提供されるサービスを利用している間、前記マスタ顔画像を、前記サービスを提供する装置の近傍の表示装置に表示させる処理と、コンピュータに実行させる認証プログラム。
【請求項７】
コンピュータによる認証方法であって、前記コンピュータが、
特定のエリアへ入る時に利用者に対して行われる顔認証以外の認証後に撮像された、前記利用者のマスタ顔画像と、前記エリア内で定期的に撮像される前記利用者の顔画像と、を、前記利用者の顔画像が撮像される度に照合し、
前記利用者が、前記エリア内で提供されるサービスを利用している間、前記マスタ顔画像を、前記サービスを提供する装置の近傍の表示装置に表示させる、認証方法。
【発明の詳細な説明】
【技術分野】
【０００１】
本発明は、情報処理装置、認証プログラム及び認証方法に関する。
【背景技術】
【０００２】
従来では、機器の不正使用を防止する技術の一つとして、カメラによる撮像領域内に存在する利用者の顔画像を撮像して予め登録された画像情報と照合し、一致した場合に、この利用者による機器の使用を許可し、一致しない場合には機器の使用を禁止する技術が知られている。
【先行技術文献】
【特許文献】
【０００３】
【特許文献１】特開２００７−２７９９２９号公報
【特許文献２】特開２００３−９９７６３号公報
【発明の概要】
【発明が解決しようとする課題】
【０００４】
上述した従来の技術では、機器の使用が許可された利用者が、撮像領域内に存在していれば、機器は使用可能な状態となる。このため、従来の技術では、撮像領域内に別の利用者が存在した場合にはこの利用者による機器の使用を禁止することができず、別の利用者によるなりすまし行為を防ぐことが困難である。
【０００５】
また、従来の技術では、例えば、髪型の変更や眼鏡の装着の有無等によって、画像情報として登録される顔画像を撮像したときから容姿が変わった場合には、顔画像が適正に行われない可能性がある。
【０００６】
１つの側面では、本発明は、認証後のなりすましを防止することを目的としている。
【課題を解決するための手段】
【０００７】
一つの態様では、特定のエリアへ入る時に利用者に対して行われる顔認証以外の認証後に撮像された、前記利用者のマスタ顔画像と、前記エリア内で定期的に撮像される前記利用者の顔画像と、を、前記利用者の顔画像が撮像される度に照合する顔認証部と、前記利用者が、前記エリア内で提供されるサービスを利用している間、前記マスタ顔画像を、前記サービスを提供する装置の近傍の表示装置に表示させる表示制御部と、を有する情報処理装置である。
【０００８】
上記各部は、上記各部の機能を実現する処理、各部の機能を実現する手順としても良く、各処理をコンピュータに実行させるプログラムを記憶したコンピュータ読み取り可能な記憶媒体とすることもできる。
【発明の効果】
【０００９】
認証後のなりすましを防止できる。
【図面の簡単な説明】
【００１０】
【図１】第一の実施形態の認証システムの一例を示す図である。
【図２】第一の実施形態の情報処理装置のハードウェア構成の一例を示す図である。
【図３】第一の実施形態の会員情報データベースの一例を示す図である。
【図４】第一の実施形態の認証システムの有する各装置の機能を説明する図である。
【図５】第一の実施形態の管理装置の動作を説明するフローチャートである。
【図６】第一の実施形態の情報処理装置の動作を説明するフローチャートである。
【図７】第一の実施形態の認証システムの動作を具体的に説明する図である。
【図８】第一の実施形態の表示例を示す図である。
【図９】第二の実施形態の認証システムの有する各装置の機能を説明する図である。
【図１０】第二の実施形態の情報処理装置の動作を説明するフローチャートである。
【図１１】第二の実施形態の表示例を示す図である。
【発明を実施するための形態】
【００１１】
（第一の実施形態）
以下に図面を参照して、第一の実施形態について説明する。図１は、第一の実施形態の認証システムの一例を示す図である。
【００１２】
本実施形態の認証システム１００は、例えば、各種の設備が設けられた特定の室内に入室した利用者による設備の使用に際し、この利用者が設備の使用が許可された利用者であることを認証するために用いられる。
【００１３】
本実施形態の認証システム１００は、管理装置２００と、情報処理装置４００とを有する。本実施形態の認証システム１００では、管理装置２００と情報処理装置４００とは、ネットワークを介して接続される。
【００１４】
本実施形態の管理装置２００は、会員情報データベース２１０と、管理処理部２２０と、を有し、特定の室内に対する利用者の入退室を管理する。また、管理装置２００は、生体情報読取装置２３０、会員ＩＤ読取装置２４０、撮像装置２５０が接続されている。
【００１５】
本実施形態の管理装置２００は、生体情報読取装置２３０によって、特定の室内に入室する利用者の生体情報を読み取り、会員ＩＤ読取装置２４０によって、この利用者を特定する識別情報（会員ＩＤ）を読み取る。
【００１６】
そして、管理装置２００は、読み取った生体情報と会員ＩＤとが、会員情報データベース２１０において対応付けられて格納されている場合に、この利用者が、特定の室内への入室が許可された利用者であることを認証する。
【００１７】
さらに、本実施形態の管理装置２００は、撮像装置２５０により、入室が許可された利用者による室内の設備３００の使用が許可されている場合、この利用者の顔画像を撮像し、顔画像の画像データを情報処理装置４００へ送信する。
【００１８】
本実施形態の情報処理装置４００は、設備制御部４１０と認証部４２０とを有する。設備制御部４１０は、特定の室内に設置された設備３００の近傍に配置されており、設備３００を制御する。認証部４２０は、設備３００を操作する利用者が、設備３００の使用を許可された利用者であることを認証する。
【００１９】
また、本実施形態の情報処理装置４００は、表示装置４３０、会員ＩＤ読取装置４４０、撮像装置４５０が接続されている。
【００２０】
情報処理装置４００は、会員ＩＤ読取装置４４０によって会員ＩＤが読み取られると、認証部４２０によって、表示装置４３０に、管理装置２００から受信した顔画像の画像データを表示させる。尚、本実施形態の表示装置４３０は、情報処理装置４００の有する出力装置としてのディスプレイとは別に設けられたものであっても良い。
【００２１】
また、認証部４２０は、撮像装置４５０により、設備３００の近傍に存在する利用者の顔画像を撮像し、撮像した顔画像の画像データと、管理装置２００から受信した顔画像の画像データとを照合する顔認証を行う。そして、認証部４２０は、顔認証よって、２つの顔画像の画像データが一致する場合に、設備制御部４１０により設備３００の使用を継続させる。さらに、本実施形態の情報処理装置４００では、設備３００が使用されている間は、表示装置４３０に、管理装置２００から受信した顔画像の画像データを表示させ、定期的に上述した顔認証を行う。
【００２２】
このように、本実施形態では、特定の室内に設置された設備の使用に際し、室内への入室時に顔認証以外の認証を行い、認証後に撮像された顔画像をマスタ顔画像として、設備を操作の開始時に、顔認証を行う。
【００２３】
より具体的には、本実施形態では、室内へ入室する際は、顔認証よりも精度が高い生体認証によって入室する利用者の認証を行う。そして、本実施形態では、生体認証によって認証された利用者が室内で設備を使用する際に、この利用者に対して、入室時に撮像された顔画像の画像データに基づく顔認証を定期的に行う。
【００２４】
このため、本実施形態によれば、顔認証の後に、設備の使用が許可されていない利用者が、設備の使用が許可された利用者になりすまして、設備を不正に使用することを抑制できる。
【００２５】
また、本実施形態によれば、室内への入室時に撮像された顔画像をマスタとした顔認証を行うため、顔認証の際に、利用者の装いや髪型等の変化に認証結果が影響されることがない。
【００２６】
尚、本実施形態において、特定の室内とは、特定の領域（エリア）を示すものであって、屋内に限定されない。
【００２７】
また、本実施形態では、室内に入室した利用者が設備３００の近傍で会員ＩＤを読み取られた場合に、この利用者の顔画像を定期的に撮像してマスタ顔画像との照合を行うものとしたが、これに限定されない。本実施形態では、例えば、設備３００の使用中だけでなく、利用者が特定の室内に存在する間は、定期的に顔認証を行っても良い。
【００２８】
その場合、例えば、室内に設けられた防犯カメラ等によって定期的に撮像された利用者の顔画像を、マスタ顔画像と照合すれば良い。
【００２９】
尚、本実施形態の生体情報読取装置２３０は、利用者の生体情報を読み取る装置である。本実施形態の生体情報は、例えば、利用者の掌や指先等の静脈のパターンや利用者の目の虹彩等であっても良く、本実施形態の生体情報読取装置２３０は、これらの情報を読み取る装置であれば良い。
【００３０】
また、本実施形態の会員ＩＤは、例えば、ＩＣカード等の可搬型の記録媒体に格納されていても良い。この場合、会員ＩＤ読取装置２４０、４４０は、カードリーダであっても良い。また、会員ＩＤは、例えば、携帯端末等の画面に表示される二次元コードに含まれていても良い。この場合、会員ＩＤ読取装置２４０、４４０は、二次元コードリーダである。
【００３１】
さらに、図１では、生体情報読取装置２３０、会員ＩＤ読取装置２４０、撮像装置２５０が管理装置２００の外部に接続されるものとしたが、これに限定されない。生体情報読取装置２３０、会員ＩＤ読取装置２４０、撮像装置２５０は、管理装置２００の一部であっても良い。また、会員ＩＤは、会員ＩＤ読取装置２４０により読み取られるものでなくても良く、入室を希望する利用者が管理装置２００に対して入力されるものであっても良い。
【００３２】
同様に、図１では、表示装置４３０、会員ＩＤ読取装置４４０、撮像装置４５０が情報処理装置４００の外部に接続されるものとしたが、これに限定されない。表示装置４３０、会員ＩＤ読取装置４４０、撮像装置４５０は、情報処理装置４００の一部であっても良い。
【００３３】
また、会員ＩＤは、会員ＩＤ読取装置４４０により読み取られるものでなくても良く、設備の使用を希望する利用者が情報処理装置４００に対して入力されるものであっても良い。
【００３４】
さらに、本実施形態の認証システム１００では、設備３００を制御する情報処理装置４００は、任意の台数が含まれて良い。例えば、特定の室内に複数の設備が設置されている場合には、設備と同数の情報処理装置４００が認証システム１００に含まれて良い。
【００３５】
本実施形態の設備３００は、例えば、各種の工作機や、電子機器であって良い。言い換えれば、設備３００は、特定の室内（エリア）で、利用者に対してサービスを提供する装置である。また、表示装置４３０は、サービスを提供する装置の近傍に設けられた表示装置であり、撮像装置４５０は、サービスを提供する装置の近傍に設けられた撮像装置である。
【００３６】
また、本実施形態では、設備３００に電力計３１０が接続されている。電力計３１０は、管理装置２００及び情報処理装置４００と接続されており、設備３００に電源が投入されると、設備３００で消費される電力を管理装置２００及び情報処理装置４００に通知する。管理装置２００及び情報処理装置４００は、電力計３１０から通知される電力の値によって、設備３００が正常に動作しているか否かを管理しても良い。
【００３７】
また、図１では、管理装置２００が会員情報データベース２１０を有する構成としたが、これに限定されない。会員情報データベース２１０は、管理装置２００の外部に設けられていても良い。
【００３８】
また、図１の例では、認証システム１００に含まれる情報処理装置４００を一台としているが、情報処理装置４００の数は、特定の室内に設けられる設備３００の数に応じるものである。特定の室内に設けられる設備３００の数は、任意の数であって良い。
【００３９】
また、以下の説明では、設備３００、情報処理装置４００、表示装置４３０、会員ＩＤ読取装置４４０、撮像装置４５０を含むシステムを、設備システム５００と呼ぶ場合がある。
【００４０】
以下に、本実施形態の情報処理装置４００のハードウェア構成について説明する。図２は、第一の実施形態の情報処理装置のハードウェア構成の一例を示す図である。
【００４１】
本実施形態の情報処理装置４００は、それぞれバスＢで相互に接続されている入力装置４１、出力装置４２、ドライブ装置４３、補助記憶装置４４、メモリ装置４５、演算処理装置４６及びインターフェース装置４７を含む。
【００４２】
入力装置４１は、各種の情報の入力を行うための装置であり、例えばキーボードやポインティングデバイス等により実現される。出力装置４２は、各種の情報の出力を行うためものであり、例えばディスプレイ等により実現される。インターフェース装置４７は、ＬＡＮカード等を含み、ネットワークに接続する為に用いられる。
【００４３】
認証部４２０を実現させる認証プログラムは、情報処理装置４００を制御する各種プログラムの少なくとも一部である。認証プログラムは例えば記憶媒体４８の配布やネットワークからのダウンロード等によって提供される。認証プログラムを記録した記憶媒体４８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００４４】
また、認証プログラムは、認証プログラムを記録した記憶媒体４８がドライブ装置４３にセットされると、記憶媒体４８からドライブ装置４３を介して補助記憶装置４４にインストールされる。ネットワークからダウンロードされた認証プログラムは、インターフェース装置４７を介して補助記憶装置４４にインストールされる。
【００４５】
補助記憶装置４４は、インストールされた認証プログラムを格納すると共に、情報処理装置４００が管理装置２００から受信した画像データ等の各種の必要なファイル、データ等を格納する。メモリ装置４５は、情報処理装置４００の起動時に補助記憶装置４４から認証プログラムを読み出して格納する。そして、演算処理装置４６はメモリ装置４５に格納された認証プログラムに従って、後述するような各種処理を実現している。
【００４６】
尚、本実施形態の管理装置２００のハードウェア構成は、情報処理装置４００のハードウェア構成と同様であるから、説明を省略する。
【００４７】
次に、図３を参照して、本実施形態の管理装置２００の有する会員情報データベース２１０について説明する。図３は、第一の実施形態の会員情報データベースの一例を示す図である。会員情報データベース２１０は、予め管理装置２００に格納されている。
【００４８】
本実施形態の会員情報データベース２１０は、情報の項目として、会員ＩＤ、氏名、住所、講習受講履歴、生体情報、画像情報、顔認証結果を有し、項目「会員ＩＤ」と、その他の項目とは対応付けられている。以下の説明では、会員情報データベース２１０において、項目「会員ＩＤ」の値と、その他の項目の値とを含む情報を、会員情報と呼ぶ。
【００４９】
項目「会員ＩＤ」の値は、特定の室内に入室し、室内の設備やスペースを利用する利用者を特定するための識別情報である。尚、本実施形態の特定の室内とは、例えば、不特定多数の人に利用される作業スペースや、工房等であっても良い。以下の説明では、特定の室内を作業スペースと呼ぶ。
【００５０】
項目「氏名」の値は、会員ＩＤによって識別される利用者の氏名を示し、項目「住所」の値は、会員ＩＤによって識別される利用者の住所を示す。
【００５１】
項目「講習受講履歴」の値は、会員ＩＤによって識別される利用者が受講した講習の履歴を示す。言い換えれば、項目「講習受講履歴」の値は、会員ＩＤによって識別される利用者が過去に受講した講習を示す。講習とは、作業スペース内に配置された設備を使用するために受講する必要がある講習を含む。本実施形態では、講習を受講する必要がある設備の場合は、該当する講習の受講を受講済みである利用者に対して使用が許可される。本実施形態では、このように、設備と対応する講習を受講させることで、設備を使用する利用者の安全を担保する。
【００５２】
項目「生体情報」の値は、会員ＩＤによって識別される利用者の生体情報を示す。本実施形態の生体情報とは、例えば、掌の静脈のパターンや指紋のパターンを示す情報等であり、利用者に対して会員ＩＤが付与される際に取得され、会員ＩＤと対応付けられる。
【００５３】
項目「画像情報」の値は、会員ＩＤによって識別される利用者が作業スペースに入室する際に撮像された顔画像の画像データである。つまり、項目「画像情報」の値である顔画像の画像データは、利用者が作業スペースに入室する度に更新される。以下の説明では、顔画像の画像データを顔画像データと呼ぶ。項目「顔認証結果」の値は、情報処理装置４００において行われた顔認証の結果を示す。
【００５４】
図３の例では、会員ＩＤ「１」の利用者は、氏名「ＡＡａａ」であり、住所が「・・・・」であり、設備３００と対応する講習が受講済みであり、情報処理装置４００による顔認証で認証されたことがわかる。
【００５５】
尚、会員情報データベース２１０に含まれる情報の項目は、図３に示す例に限定されない。会員情報データベース２１０には、例えば、作業スペースにおける利用者の位置を特定する位置情報が含まれても良い。
【００５６】
本実施形態では、生体認証によって認証された利用者が作業スペースに入室する際に、例えば、ビーコン信号等の特定の信号を発信する位置情報端末がこの利用者に貸与され、この利用者の会員ＩＤと位置情報端末とが対応付けられても良い。そして、本実施形態では、位置情報端末から発信される信号に基づき、作業スペース内における位置情報端末の位置を検出し、この位置を示す情報を、会員ＩＤと対応する利用者の位置情報としても良い。
【００５７】
また、本実施形態の会員情報は、例えば、会員ＩＤと対応する利用者毎の、作業スペース内の行動履歴を示すログ情報として蓄積されても良い。
【００５８】
この場合、会員情報データベース２１０には、例えば、画像情報（顔画像データ）が撮像された日時を示す情報や、顔認証結果を取得した日時を示す情報等が含まれても良い。
【００５９】
次に、図４を参照して、本実施形態の認証システム１００の有する各装置の機能について説明する。図４は、第一の実施形態の認証システムの有する各装置の機能を説明する図である。
【００６０】
はじめに、管理装置２００の機能から説明する。管理装置２００の管理処理部２２０は、管理装置２００の有する演算処理装置がメモリ装置に格納された管理プログラムを実行することで実現される。
【００６１】
本実施形態の管理装置２００の管理処理部２２０は、会員ＩＤ取得部２２１、生体情報取得部２２２、設備情報受付部２２３、生体認証部２２４、使用可否判定部２２５、画像取得部２２６、更新部２２７、送信部２２８を有する。
【００６２】
会員ＩＤ取得部２２１は、会員ＩＤ読取装置２４０が読み取った会員ＩＤを取得する。生体情報取得部２２２は、生体情報読取装置２３０が読み取った生体情報を取得する。
【００６３】
設備情報受付部２２３は、会員ＩＤによって識別される利用者に使用される予定である設備を特定する情報の入力を受け付ける。言い換えれば、設備情報受付部２２３は、会員ＩＤが付与された利用者による設備３００の予約の指示を受け付ける。
【００６４】
設備を特定する情報は、例えば、会員ＩＤによって識別される利用者によって入力されても良いし、作業スペースを管理する管理者によって入力されても良い。また、設備を特定する情報は、例えば、設備３００の名称や設備３００に付与された識別情報等であって良い。また、本実施形態では、管理装置２００のディスプレイ上等に表示された設備の一覧等から、特定の設備を選択することで、設備を特定する情報が管理装置２００に入力されても良い。
【００６５】
生体認証部２２４は、会員ＩＤと生体情報が取得されると、会員情報データベース２１０を参照して生体認証を行う。具体的には、生体認証部２２４は、会員情報データベース２１０において、読み取った会員ＩＤと対応付けられた生体情報と、生体情報読取装置２３０が読み取った生体情報とを照合し、一致するか否かを判定する。生体認証部２２４は、両者が一致しているとき、この会員ＩＤで識別される利用者が認証されたものとする。
【００６６】
使用可否判定部２２５は、会員ＩＤによって識別される利用者が認証されると、この利用者が、特定された設備を使用できるか否かを判定する。
【００６７】
具体的には、使用可否判定部２２５は、取得した会員ＩＤを含む会員情報の項目「講習受講履歴」の値を参照し、特定された設備に必要な講習を受講済みであるか否かを判定する。
【００６８】
画像取得部２２６は、撮像装置２５０によって撮像された顔画像データを取得する。更新部２２７は、画像取得部２２６が顔画像データを取得すると、直前に取得された会員ＩＤと、取得した顔画像データとを対応付けて、会員情報データベース２１０へ格納する。言い換えれば、更新部２２７は、会員情報データベース２１０を更新する。
【００６９】
送信部２２８は、使用可否判定部２２５によって、特定された設備の使用が可能と判定された場合に、画像取得部２２６が取得した顔画像データをと、会員ＩＤ取得部２２１が取得した会員ＩＤとを、設備と対応する情報処理装置４００に送信する。尚、顔画像データと会員ＩＤは、使用可否判定部２２５による判定の結果に関わらず、情報処理装置４００に送信されても良い。
【００７０】
次に、本実施形態の情報処理装置４００の機能について説明する。情報処理装置４００は、設備制御部４１０と、認証部４２０とを有する。
【００７１】
尚、本実施形態では、設備制御部４１０と認証部４２０とが、情報処理装置４００によって実現されるものとしたが、これに限定されない。設備制御部４１０と、認証部４２０とは、それぞれが別々の装置によって実現されても良い。具体的には、例えば、設備制御部４１０は、設備３００を制御する制御用端末によって実現され、認証部４２０は、設備３００の近傍に配置され、設備３００を使用する利用者の認証を行う認証用端末によって実現されても良い。
【００７２】
本実施形態の設備制御部４１０は、認証部４２０からの指示に応じて、設備３００に電源を投入し、使用が可能な状態にする。また、設備制御部４１０は、認証部４２０からの指示に応じて、設備３００の動作を停止させる。
【００７３】
本実施形態の認証部４２０は、受信部４２１、会員ＩＤ取得部４２２、表示制御部４２３、画像取得部４２４、顔認証部４２５、ロック指示部４２６、認証結果通知部４２７を有する。
【００７４】
受信部４２１は、管理装置２００から送信される情報を受信する。管理装置２００から受信される情報には、例えば、顔画像データと会員ＩＤとが含まれる。
【００７５】
会員ＩＤ取得部４２２は、会員ＩＤ読取装置４４０が読み取った会員ＩＤを取得する。
【００７６】
表示制御部４２３は、表示装置４３０における表示を制御する。具体的には、表示装置４３０は、受信部４２１が受信した顔画像データが示す顔画像を表示装置４３０に表示させる。
【００７７】
尚、表示制御部４２３は、受信部４２１が受信した会員ＩＤと、会員ＩＤ取得部４２２が取得した会員ＩＤとが一致した場合に、表示装置４３０に受信部４２１が受信した顔画像データが示す顔画像を表示させても良い。
【００７８】
また、表示制御部４２３は、情報処理装置４００の出力装置４２を実現するディスプレイにおける表示を制御しても良い。
【００７９】
画像取得部４２４は、撮像装置４５０により撮像された画像の画像データを取得する。撮像装置４５０が撮像する画像とは、撮像装置４５０の撮像領域内に存在する利用者の顔画像である。言い換えれば、撮像装置４５０が撮像する画像とは、情報処理装置４００によって制御される設備３００の近傍に存在する利用者の顔画像である。
【００８０】
顔認証部４２５は、受信部４２１によって受信した顔画像データと、画像取得部４２４により取得した顔画像データと、を用いて顔認証を行う。具体的には、顔認証部４２５は、受信部４２１によって受信した顔画像データと、画像取得部４２４により取得した顔画像データとを照合し、両者が一致する場合に、会員ＩＤにより識別される利用者が認証されたものとする。
【００８１】
ロック指示部４２６は、顔認証部４２５によって、会員ＩＤにより識別される利用者が認証されなかった場合に、設備３００を操作するための操作画面に対する入力の受け付けを禁止する。尚、本実施形態では、設備３００の操作画面は、情報処理装置４００の出力装置４２であるディスプレイに表示されても良い。つまり、設備３００の操作画面は、表示装置４３０とは異なる装置に表示されても良い。
【００８２】
また、表示装置４３０が、情報処理装置４００のディスプレイを兼ねる場合には、ロック指示部４２６は、表示装置４３０に表示された画面において、設備３００の操作を行う操作部材が表示された領域に対する入力の受け付けを禁止する。
【００８３】
認証結果通知部４２７は、顔認証部４２５による認証結果を示す通知を管理装置２００へ送信する。
【００８４】
以下に、本実施形態の認証システム１００の有する各装置の動作について説明する。図５は、第一の実施形態の管理装置の動作を説明するフローチャートである。
【００８５】
本実施形態の管理装置２００の管理処理部２２０は、会員ＩＤと、生体情報と、設備を特定する情報とを取得したか否かを判定する（ステップＳ５０１）。尚、会員ＩＤは、会員ＩＤ取得部２２１により取得され、生体情報は生体情報取得部２２２によって取得され、設備を特定する情報は、設備情報受付部２２３によって取得される。ここでは、設備３００が特定されるものとして説明する。
【００８６】
ステップＳ５０１において、会員ＩＤと生体情報とを設備を特定する情報とを取得していない場合、管理装置２００は、これらの情報を取得するまで待機する。
【００８７】
ステップＳ５０１において、会員ＩＤと生体情報とを設備３００を特定する情報とを取得した場合、管理装置２００は、生体認証部２２４により、会員情報データベース２１０を参照して生体認証を行う（ステップＳ５０２）。
【００８８】
ステップＳ５０２において、生体認証部２２４により、会員ＩＤによって識別される利用者が認証されなかった場合、管理装置２００は、後述するステップＳ５０９へ進む。尚、生体認証部２２４により認証されない場合とは、会員情報データベース２１０において、会員ＩＤと対応付けられた生体情報と、取得した生体情報とが一致しない場合である。
【００８９】
ステップＳ５０２において、会員ＩＤにより識別される利用者が認証された場合、管理装置２００は、使用可否判定部２２５により、会員ＩＤを含む会員情報を参照する（ステップＳ５０４）。続いて、使用可否判定部２２５は、会員ＩＤによって識別される利用者による、特定された設備３００の使用が可能か否かを判定する（ステップＳ５０５）。
【００９０】
ステップＳ５０５において、設備３００の使用が不可能であった場合、管理装置２００は、後述するステップＳ５０９へ進む。
【００９１】
ステップＳ５０５において、設備３００の使用が可能と判定された場合、管理装置２００は、画像取得部２２６によって、撮像装置２５０により会員ＩＤで識別される利用者の顔画像を撮像させて顔画像データを取得する（ステップＳ５０６）。
【００９２】
続いて、管理装置２００は、更新部２２７により、取得した顔画像データを、会員ＩＤと対応付けて会員情報データベース２１０へ格納する（ステップＳ５０７）。続いて、管理装置２００は、送信部２２８によって、設備３００（特定された設備）を制御する情報処理装置４００に対し、会員ＩＤと、取得した顔画像データとを送信し（ステップＳ５０８）、処理を終了する。
【００９３】
また、管理装置２００は、ステップＳ５０３において認証されない場合と、ステップＳ５０５において、設備３００の使用が許可されない場合に、管理装置２００のディスプレイにエラーメッセージを表示させ（ステップＳ５０９）、処理を終了しても良い。
【００９４】
次に、図６を参照して、本実施形態の情報処理装置４００の動作について説明する。図６は、第一の実施形態の情報処理装置の動作を説明するフローチャートである。
【００９５】
本実施形態の情報処理装置４００は、認証部４２０の受信部４２１により、顔画像データ、会員ＩＤを受信する（ステップＳ６０１）。
【００９６】
続いて、情報処理装置４００は、会員ＩＤ取得部４２２により、会員ＩＤを取得したか否かを判定する（ステップＳ６０２）。具体的には、会員ＩＤ取得部４２２は、会員ＩＤ読取装置４４０が会員ＩＤを読み取ったか否かを判定している。
【００９７】
ステップＳ６０２において、会員ＩＤを取得していない場合、情報処理装置４００は、会員ＩＤを取得するまで待機する。ステップＳ６０２において、会員ＩＤを取得した場合、情報処理装置４００は、設備制御部４１０により、設備３００に対して電源の投入を指示する（ステップＳ６０３）。
【００９８】
続いて、情報処理装置４００は、設備制御部４１０により、設備の使用が開始されたか否かを判定する（ステップＳ６０４）。具体的には、設備制御部４１０は、設備３００の操作画面に対する入力を受け付けたか否かを判定している。
【００９９】
ステップＳ６０４において、設備３００の使用が開始されていない場合、情報処理装置４００は、設備の使用が開始されるまで待機する。
【０１００】
ステップＳ６０４において、設備３００の使用が開始された場合、情報処理装置４００は、認証部４２０の表示制御部４２３により、表示装置４３０に、ステップＳ６０１で受信した顔画像データを表示させる（ステップＳ６０５）。尚、ここで、表示制御部４２３は、ステップＳ６０１で受信した会員ＩＤと、ステップＳ６０２で取得した会員ＩＤとが一致した場合に、顔画像データを表示させても良い。
【０１０１】
続いて、情報処理装置４００は、画像取得部４２４により、撮像装置４５０により、撮像装置４５０の撮像領域内に存在する利用者の顔画像を撮像させる（ステップＳ６０６）。言い換えれば、画像取得部４２４は、撮像装置４５０により、設備３００を操作しようとする利用者の顔画像を撮像する。
【０１０２】
続いて、情報処理装置４００は、顔認証部４２５により、受信した顔画像データと、撮像装置４５０により撮像した顔画像の顔画像データとを照合し、両者が一致するか否かを判定する（ステップＳ６０７）。
【０１０３】
ステップＳ６０７において、両者が一致する場合、情報処理装置４００は、設備３００の使用が終了したか否かを判定する（ステップＳ６０８）。尚、情報処理装置４００は、設備制御部４１０により、設備３００の終了を指示する操作を受け付けた場合に、設備３００の使用が終了したと判定しても良い。また、このとき、認証結果通知部４２７は、認証結果を管理装置２００へ送信しても良い。
【０１０４】
ステップＳ６０８において、設備３００の使用が終了した場合、情報処理装置４００は、処理を終了する。ステップＳ６０８において、設備３００の使用が終了していない場合、情報処理装置４００は、ステップＳ６０６へ戻る。
【０１０５】
ステップＳ６０７において、両者が一致しない場合、情報処理装置４００は、認証結果通知部４２７により、顔認証がされなかったことを示す通知を管理装置２００へ送信し表示制御部４２３により、表示装置４３０に注意画面を表示させる（ステップＳ６０９）。
【０１０６】
注意画面とは、設備３００の近傍に、設備３００を使用する予定ではない利用者が存在していることを通知するメッセージを含む画面である。
【０１０７】
続いて、情報処理装置４００は、ロック指示部４２６により、受信した顔画像データと、撮像装置４５０による撮像した顔画像の顔画像データとが不一致である時間が所定時間以上経過したか否かを判定する（ステップＳ６１０）。ステップＳ６１０において、所定時間経過していない場合、情報処理装置４００は、ステップＳ６０６へ戻る。
【０１０８】
ステップＳ６１０において、所定時間以上が経過した場合、情報処理装置４００は、ロック指示部４２６により、操作画面に対する操作の受け付けを禁止し、表示制御部４２３により、表示装置４３０に警告画面を表示させ（ステップＳ６１１）、処理を終了する。
【０１０９】
警告画面とは、設備３００の操作を禁止したことを通知するメッセージを含む画面である。注意画面と警告画面の詳細は後述する。尚、本実施形態では、認証結果通知部４２７により、警告画面を表示させたことを示す通知を管理装置２００へ送信しても良い。
【０１１０】
以下に、図７を参照して、本実施形態の認証システム１００の動作について、具体的に説明する。図７は、第一の実施形態の認証システムの動作を具体的に説明する図である。
【０１１１】
図７では、作業スペース７０に設備システム５００−１〜５００−４が設置されており、作業スペース７０の入り口に設けられた受付７１に管理装置２００、生体情報読取装置２３０、会員ＩＤ読取装置２４０、撮像装置２５０が配置されている。設備システム５００−１〜５００−４は、それぞれが、設備３００−１〜３００−４、情報処理装置４００−１〜４００−４、表示装置４３０−１〜表示装置４３０−４、会員ＩＤ読取装置４４０−１〜会員ＩＤ読取装置４４０−４、撮像装置４５０−１〜撮像装置４５０−４を有している。
【０１１２】
図７では、利用者Ｐが作業スペース７０へ入室しようとしている。この場合、利用者Ｐ１は、受付７１で生体情報読取装置２３０と会員ＩＤ読取装置２４０により、生体情報と会員ＩＤとを読み取らせ、管理装置２００により生体認証を行わせる。また、このとき、利用者Ｐ１は、自身が使用する設備システム５００を特定する情報を管理装置２００に入力する。
【０１１３】
ここでは、利用者Ｐ１は、設備システム５００−２を特定する情報を管理装置２００に入力したことにする。
【０１１４】
管理装置２００は、利用者Ｐが生体認証により認証されると、撮像装置２５０により、利用者Ｐ１の顔画像を撮像し、設備システム５００−２の情報処理装置４００−２に、利用者Ｐ１の会員ＩＤと顔画像データを送信する。
【０１１５】
尚、このとき、受付７１において、利用者Ｐ１に位置情報端末８１が貸与されても良い。そして、管理装置２００は、位置情報端末８１から発信される信号を受信し、利用者Ｐ１の位置を示す位置情報を検出し、利用者Ｐ１の会員ＩＤと対応付けて利用者Ｐ１の移動の履歴を示す情報として蓄積しても良い。
【０１１６】
利用者Ｐ１は、設備システム５００−２の設備３００−２を使用するために、設備３００−２の近傍へ移動する。そして、利用者Ｐ１は、会員ＩＤ読取装置４４０−２に、会員ＩＤを読み取らせる。
【０１１７】
情報処理装置４００−２は、会員ＩＤ読取装置４４０−２により会員ＩＤを取得すると、設備３００−２の電源を投入させる。そして、情報処理装置４００−２は、設備３００−２に対する操作を受け付けると、管理装置２００から受信した利用者Ｐ１の顔画像データが示す顔画像Ｇｐ１を表示装置４３０−２に表示させる。
【０１１８】
尚、情報処理装置４００−２は、管理装置２００から、顔画像データと会員ＩＤとを共に受信しているため、会員ＩＤ読取装置４４０−２により取得した会員ＩＤと対応付けられた顔画像データを表示装置４３０に表示させれば良い。
【０１１９】
続いて、情報処理装置４００−２は、撮像装置４５０−２により、撮像装置４５０−２の撮像領域の画像を撮像する。ここでは、利用者Ｐ１が、設備３００−２を使用するめたに設備３００−２の近傍に滞在しているため、利用者Ｐ１の顔画が撮像装置４５０−２により撮像される。
【０１２０】
情報処理装置４００−２は、撮像装置４５０−２により顔画像が撮像されると、この顔画像データと、管理装置２００から受信した顔画像データとを照合して顔認証を行う。そして、情報処理装置４００−２は、利用者Ｐ１が顔認証によって認証されると、利用者Ｐ１による設備３００−２の使用を継続させる。
【０１２１】
本実施形態の情報処理装置４００−２では、設備３００−２の使用を終了する操作が行われるまで、利用者Ｐ１に対する顔認証が定期的に行われる。つまり、本実施形態では、利用者Ｐ１が設備３００−２を継続して使用するためには、定期的な顔認証で利用者Ｐ１が認証され続ける必要がある。
【０１２２】
次に、利用者Ｐ２が、使用する予定の設備として、設備システム５００−４を特定した場合について説明する。
【０１２３】
利用者Ｐ２は、管理装置２００における生体認証により認証されている。したがって、利用者Ｐ２の顔画像データは、利用者Ｐ２の会員ＩＤと共に、設備システム５００−４の情報処理装置４００−４に送信される。また、利用者Ｐ２には、位置情報端末８２が貸与される。
【０１２４】
ここで、情報処理装置４００−４は、利用者Ｐ２が設備３００−４の近傍に現れ、会員ＩＤを読み取らせると、設備３００−４の電源を投入する。そして、情報処理装置４００−４は、設備３００−４に対する操作を受け付けると、管理装置２００から受信した利用者Ｐ２の顔画像データが示す顔画像Ｇｐ２を表示装置４３０−４に表示させる。
【０１２５】
図７では、表示装置４３０−４に顔画像Ｇｐ２が表示された後に、利用者Ｐ２が設備３００−４の近傍から一時的に離れており、その間に利用者Ｐ３が設備３００−４の近傍に現れた状態を示している。利用者Ｐ３には、位置情報端末８３が貸与されている。
【０１２６】
情報処理装置４００−４では、定期的に利用者Ｐ２を認証するための顔認証が行われるため、この状態では、撮像装置４５０−４は利用者Ｐ３の顔画像を撮像することになる。したがって、情報処理装置４００−４は、管理装置２００から受信した利用者Ｐ２の顔画像データと、撮像装置４５０−４が撮像した利用者Ｐ３の顔画像データとを照合して顔認証を行う。この場合、利用者Ｐ３は認証されず、表示装置４３０−４には、撮像装置４５０−４に利用者Ｐ２とは別の利用者が設備３００−４の近傍に存在することを通知する注意画面が表示される。
【０１２７】
また、情報処理装置４００−４は、注意画面が表示装置４３０−４に表示されてから所定時間が経過しても、利用者Ｐ２とは別の利用者が設備３００−４の近傍に滞在している場合には、表示装置４３０−４に表示された注意画面を警告画面に切り替える。そして、情報処理装置４００−４は、設備３００−４に対する操作の受付を禁止する。
【０１２８】
このように、本実施形態では、管理装置２００による生体認証により認証された利用者が設備を使用する際に、生体認による認証後に撮像した利用者の顔画像をマスタとした顔認証を定期的に行う。したがって、本実施形態によれば、認証された利用者へのなりすましを防止することができ、設備が不正に使用されることを抑制できる。
【０１２９】
また、本実施形態では、設備を使用するために特定の室内（作業スペース７０）に入室する際に撮影された顔画像をマスタとして、設備の近傍に存在する利用者の顔認証を行うため、利用者が設備を使用する当日の装いで顔認証を行うことができる。このため、本実施形態によれば、利用者の容貌の変化が顔認証による認証結果に影響することを防止できる。
【０１３０】
さらに、本実施形態における顔認証は、特定の室内への入室時に、顔認証よりも精度の高い生体認証によって、予め認証された利用者に対して行われる。したがって、本実施形態では、設備の使用に影響がでない程度の精度の顔認証によって、認証後のなりすましを防止することができる。
【０１３１】
次に、図８を参照して、本実施形態の表示装置４３０による表示例について説明する。図８は、第一の実施形態の表示例を示す図である。
【０１３２】
図８（Ａ）は注意画面の例を示す図であり、図８（Ｂ）は、警告画面の例を示す図である。
【０１３３】
図８（Ａ）の注意画面８５では、例えば、設備３００を使用する予定である利用者の会員情報８６と、使用が予定されている利用者とは別の利用者が設備３００の近傍に存在していることを通知するメッセージ８７とが表示されている。
【０１３４】
ここで、メッセージ８７は、生体認証を行った際に撮像された顔画像に重畳されて表示されている。
【０１３５】
また、注意画面８５では、顔認証によって設備３００の近傍の利用者が認証された場合の画面と、背景色を異ならせる。
【０１３６】
具体的には、例えば、設備システム５００−２では、設備３００−２を使用する予定の利用者Ｐ１が顔認証によって認証されているため、表示装置４３０−２に表示される画面の背景色は、受付７１で撮像された顔画像の背景色のままとする（図７参照）。また、設備システム５００−４では、設備３００−４を使用する予定の利用者Ｐ２が顔認証によって認証されていないため、表示装置４３０−４に表示される注意画面の背景色は、表示装置４３０−２の画面の背景色と異ならせる。
【０１３７】
このように、本実施形態では、注意画面の背景色を、顔認証によって利用者が認証された場合と画面の背景色を異ならせることで、作業スペース７０内の他の利用者に対し、認証されていない利用者が設備３００の近傍に存在していることを認識しやすくできる。
【０１３８】
図８（Ｂ）の警告画面８８では、会員情報８６と、所定時間以上の間、使用が予定されている利用者とは別の利用者が設備３００の近傍に存在しているため、設備３００の使用を制限することを通知するメッセージ８９とが表示されている。
【０１３９】
ここで、メッセージ８９は、生体認証を行った際に撮像された顔画像に重畳されて表示されている。
【０１４０】
本実施形態では、警告画面８８の背景色を、注意画面８５の背景色から、さらに変化させる。より具体的には、例えば、注意画面８５の背景色をピンク色等とし、警告画面８８の背景色を赤色としても良い。
【０１４１】
本実施形態では、このように、注意画面と警告画面とにおいて、背景色を異ならせることで、警告の度合いが増したことを、作業スペース７０内の他の利用者に認識しやすくできる。
【０１４２】
また、本実施形態では、設備３００の近傍に設けられた表示装置４３０に、常にマスタとなる顔画像を表示させているため、他の利用者からも、設備３００を使用している利用者が、設備３００の使用が許可されている利用者であるか否かが判断される。
【０１４３】
したがって、本実施形態によれば、認証後のなりすましを防止することができる。
【０１４４】
（第二の実施形態）
以下に図面を参照して、第二の実施形態について説明する。第二の実施形態では、設備３００の近傍に複数の利用者が存在する場合を考慮した点が第一の実施形態と相違する。よって、以下の第二の実施形態の説明では、第一の実施形態との相違点について説明し、第一の実施形態と同様の機能構成を有するものには、第一の実施形態の説明で用いた符号と同様の符号を付与し、その説明を省略する。
【０１４５】
図９は、第二の実施形態の認証システムの有する各装置の機能を説明する図である。本実施形態の認証システム１００Ａは、管理装置２００と情報処理装置４００Ａとを有し、本実施形態の情報処理装置４００Ａは、設備制御部４１０と認証部４２０Ａとを有する。
【０１４６】
認証部４２０Ａは、受信部４２１、会員ＩＤ取得部４２２、表示制御部４２３Ａ、画像取得部４２４、顔認証部４２５、ロック指示部４２６、認証結果通知部４２７、人数検出部４２８を有する。
【０１４７】
表示制御部４２３Ａは、人数検出部４２８によって検出された人数に応じて、表示装置４３０に注意画面や警告画面を表示させる。
【０１４８】
人数検出部４２８は、設備３００の近傍に存在する利用者の人数を検出する。具体的には、人数検出部４２８は、例えば、利用者に貸与される位置情報端末によって検出される利用者の位置情報に基づき、設備３００の近傍に存在する利用者の人数を検出しても良い。尚、本実施形態では、利用者の位置情報が定期的に取得されて、会員情報データベース２１０に格納されていても良い。
【０１４９】
図１０は、第二の実施形態の情報処理装置の動作を説明するフローチャートである。図１０のステップＳ１００１からステップＳ１００７までの処理は、図６のステップＳ６０１からステップＳ６０７までの処理と同様であるから、説明を省略する。
【０１５０】
ステップＳ１００７において、両者が一致する場合、情報処理装置４００Ａは、人数検出部４２８により、設備３００の近傍に、認証された利用者以外の利用者が存在するか否かを検出する（ステップＳ１００８）。言い換えれば、人数検出部４２８は、設備３００の近傍に、複数の利用者が存在するか否かを判定している。
【０１５１】
ステップＳ１００８において、設備３００の近傍には認証された利用者以外の利用者が存在する場合、情報処理装置４００Ａは、表示制御部４２３Ａにより、表示装置４３０に、設備３００の近傍に他の利用者が存在することを通知する注意画面を表示させる（ステップＳ１００９）。ここで表示される注意画面は、認証された利用者を含む複数人が設備３００の近傍に存在することを通知するメッセージを含む。
【０１５２】
続いて、情報処理装置４００Ａは、人数検出部４２８により、注意画面が表示されてから、所定時間以上、設備３００の近傍に存在する他の利用者が滞在しているか否かを判定する（ステップＳ１０１０）。言い換えれば、人数検出部４２８は、注意画面が表示されてから所定時間内に、他の利用者が設備３００の近傍から移動したか否かを判定する。
【０１５３】
ステップＳ１０１０において、他の利用者が移動した場合、情報処理装置４００Ａは、ステップＳ１００６へ戻る。
【０１５４】
ステップＳ１０１０において、他の利用者が移動しない場合、情報処理装置４００Ａは、ロック指示部４２６により、操作画面に対する操作の受け付けを禁止し、表示制御部４２３Ａにより、表示装置４３０に警告画面を表示させ（ステップＳ１０１１）、処理を終了する。ここで表示される警告画面は、所定時間が経過しても、複数人が設備３００の近傍に存在しているため、設備３００に対する操作を禁止することを通知するメッセージを含む。
【０１５５】
尚、本実施形態では、設備３００の操作画面に対する入力の受け付けを禁止するものとしたが、これに限定されない。本実施形態では、表示装置４３０の表示が、注意画面から警告画面に遷移すると、設備制御部４１０により、設備３００の電源をオフさせても良い。
【０１５６】
ステップＳ１００８において、設備３００の近傍には認証された利用者以外の利用者が存在しない場合、情報処理装置４００Ａは、設備３００の使用が終了したか否かを判定する（ステップＳ１０１２）。
【０１５７】
ステップＳ１０１２からステップＳ１０１５の処理は、図６のステップＳ６０８からステップＳ６１１までの処理と同様であるから、説明を省略する。
【０１５８】
以下に、図１１を参照して、ステップＳ１００９で表示される注意画面と、ステップＳ１０１１で表示される警告画面について説明する。
【０１５９】
図１１は、第二の実施形態の表示例を示す図である。図１１（Ａ）は、ステップＳ１００９で表示される注意画面の例を示し、図１１（Ｂ）は、ステップＳ１０１１で表示される警告画面の例を示す。
【０１６０】
図１１（Ａ）に示す注意画面１１１には、設備３００の近傍に、設備３００の使用が許可された利用者以外の利用者が存在することを通知するメッセージ１１２が表示されている。このメッセージ１１２は、設備３００の使用が許可された利用者のマスタとなる顔画像と重畳されて表示されている。
【０１６１】
また、注意画面１１１の背景色は、設備３００の近傍に、設備３００の使用が許可された利用者のみが存在する場合に表示される画面の背景色と異なるものとした。例えば、注意画面１１１の背景色は、設備システム５００−２の表示装置４３０−２に表示される画面の背景色とは異なる（図７参照）。
【０１６２】
図１１（Ｂ）に示す警告画面１１３には、設備３００の近傍から他の利用者が移動するまでの間、設備３００使用を禁止することを通知するメッセージ１１４が表示されている。このメッセージ１１４も、設備３００の使用が許可された利用者のマスタとなる顔画像と重畳されて表示されている。
【０１６３】
警告画面１１３の背景色は、注意画面１１１の背景色から、さらに変化させた色としている。つまり、警告画面１１３の背景色は、表示装置４３０−２に表示される画面の背景色とも、注意画面１１１の背景色とも異なる。
【０１６４】
本実施形態では、このように、設備３００の使用が許可された利用者の他に、別の利用者が、設備３００の近傍に存在した場合には、別の利用者に対して移動を促すメッセージを表示装置４３０に表示させる。
【０１６５】
このため、本実施形態によれば、例えば、設備３００の使用に必要な講習を受講していない利用者が、設備３００の稼働中に設備３００の近傍に存在する、といった状態が発生することを抑制できる。したがって、本実施形態によれば、作業スペース７０を利用する利用者の安全性を向上させることができる。
【０１６６】
開示の技術では、以下に記載する付記のような形態が考えられる。
（付記１）
特定のエリアへ入る時に利用者に対して行われる顔認証以外の認証後に撮像された、前記利用者のマスタ顔画像と、前記エリア内で定期的に撮像される前記利用者の顔画像と、を、前記利用者の顔画像が撮像される度に照合する顔認証部と、
前記利用者が、前記エリア内で提供されるサービスを利用している間、前記マスタ顔画像を、前記サービスを提供する装置の近傍の表示装置に表示させる表示制御部と、を有する情報処理装置。
（付記２）
前記利用者の顔画像は、
前記利用者による、前記サービスを提供する装置の操作を受け付けて、前記サービスを提供する装置の近傍に設けられた撮像装置により、定期的に撮像される、付記１記載の情報処理装置。
（付記３）
前記表示制御部は、
前記顔認証部による照合の結果、前記マスタ顔画像と、前記利用者の顔画像とが一致しない場合に、前記表示装置に、前記マスタ顔画像と対応する利用者とは異なる利用者が前記サービスを提供する装置の近傍に存在することを通知する注意画面を表示させる、付記１又は２記載の情報処理装置。
（付記４）
前記表示制御部は、
前記表示装置に前記注意画面を表示させてから、所定時間以上、前記マスタ顔画像と、前記利用者の顔画像とが一致しない場合に、前記注意画面を、前記サービスを提供する装置の使用を禁止することを通知する警告画面に遷移させる、付記３記載の情報処理装置。
（付記５）
前記表示制御部は、
前記注意画面の背景色を、前記顔認証部による照合の結果、前記マスタ顔画像と、前記利用者の顔画像とが一致する場合に、前記表示装置に表示される画面の背景色と異ならせ、
前記警告画面の背景色を、前記注意画面の背景色からさらに、異ならせる、付記３又は４記載の情報処理装置。
（付記６）
前記表示装置に前記注意画面を表示させてから、前記所定時間以上、前記マスタ顔画像と、前記利用者の顔画像とが一致しない場合に、前記サービスを提供する装置の操作画面に対する入力の受け付けを禁止させるロック指示部を有する、付記４又は５記載の情報処理装置。
（付記７）
前記顔認証以外の認証は、前記利用者の生体情報を利用した生体認証である、付記１乃至６の何れか一項に記載の情報処理装置。
（付記８）
特定のエリアへ入る時に利用者に対して行われる顔認証以外の認証後に撮像された、前記利用者のマスタ顔画像と、前記エリア内で定期的に撮像される前記利用者の顔画像と、を、前記利用者の顔画像が撮像される度に照合する処理と、
前記利用者が、前記エリア内で提供されるサービスを利用している間、前記マスタ顔画像を、前記サービスを提供する装置の近傍の表示装置に表示させる処理と、コンピュータに実行させる認証プログラム。
（付記９）
コンピュータによる認証方法であって、前記コンピュータが、
特定のエリアへ入る時に利用者に対して行われる顔認証以外の認証後に撮像された、前記利用者のマスタ顔画像と、前記エリア内で定期的に撮像される前記利用者の顔画像と、を、前記利用者の顔画像が撮像される度に照合し、
前記利用者が、前記エリア内で提供されるサービスを利用している間、前記マスタ顔画像を、前記サービスを提供する装置の近傍の表示装置に表示させる、認証方法。
（付記１０）
顔認証以外の認証を行う管理装置と、情報処理装置とを有する認証システムであって、
前記管理装置は、
特定のエリアへ入る時に、利用者に対して、顔認証以外の認証を行う認証部と、
前記顔認証以外の認証後に前記利用者の顔画像を撮像し、マスタ顔画像として前記情報処理装置へ送信する送信部と、を有し、
前記情報処理装置は、
前記利用者のマスタ顔画像と、前記エリア内で定期的に撮像される前記利用者の顔画像と、を、前記利用者の顔画像が撮像される度に照合する顔認証部と、
前記利用者が、前記エリア内で提供されるサービスを利用している間、前記マスタ顔画像を、前記サービスを提供する装置の近傍の表示装置に表示させる表示制御部と、を有する認証システム。
【０１６７】
本発明は、具体的に開示された実施形態に限定されるものではなく、特許請求の範囲から逸脱することなく、種々の変形や変更が可能である。
【符号の説明】
【０１６８】
１００、１００Ａ  認証システム
２００  管理装置
２１０  会員情報データベース
２２０  管理処理部
２２１  会員ＩＤ取得部
２２２  生体情報取得部
２２３  設備情報受付部
２２４  生体認証部
２２５  使用可否判定部
２２６、４２４  画像取得部
２２７  更新部
２２８  送信部
２３０  生体情報読取装置
２４０、４４０  会員ＩＤ読取装置
２５０、４５０  撮像装置
３００  設備
４００、４００Ａ  情報処理装置
４１０  設備制御部
４２０、４２０Ａ  認証部
４２１  受信部
４２２  会員ＩＤ取得部
４２３  表示制御部
４２４  画像取得部
４２５  顔認証部
４２６  ロック指示部
４２７  認証結果通知部
４３０  表示装置
５００  設備システム
【図１】
2019211863.tif 000003
【図２】
2019211863.tif 000004
【図３】
2019211863.tif 000005
【図４】
2019211863.tif 000006
【図５】
2019211863.tif 000007
【図６】
2019211863.tif 000008
【図７】
2019211863.tif 000009
【図８】
2019211863.tif 000010
【図９】
2019211863.tif 000011
【図１０】
2019211863.tif 000012
【図１１】
2019211863.tif 000013